(57)【要約】    【課題】  室内の任意の場所に天井面と床板との間に配置する突っ張り柱に簡易に横杆や支杆を取り付けること。    【解決手段】突っ張り柱５の外側面に穿った取付溝６内に嵌合して着脱可能に固定する固定部材１と、この固定部材によって前記突っ張り柱５に取り付けられる支持金具１０とからなり、前記固定部材１が、表面に起伏する操作片２と、この固定部材１の裏面に配置され、前記取付溝６内に挿入可能な幅を有し、取付溝６の内側面に接触する当接面が傾斜してなる矩形状の固定部３と、から形成され、前記固定部材１と固定部３との間に介在する前記支持金具１０の固定孔を貫通して前記突っ張り柱５の取付溝内に固定部３を嵌合し、この固定部材を回動して固定部材１と固定部３の傾斜面とで前記突っ張り柱５の縁を挟着して確実に前記支持金具10を固定する支柱ユニットの構成である。【選択図】      図１
2007113195.tif 000002
【特許請求の範囲】
【請求項１】
外周面の長手方向に穿った取付溝を有し、上端面及び下端面に天井板または床板に接触する支持面を有する固定台を備えた伸縮可能な突っ張り柱と、この複数の突っ張り柱間に架設してなる横杆または支杆とからなる支柱ユニットにおいて、
前記突っ張り柱の外側面に穿った取付溝内に嵌合して着脱可能に固定する固定部材と、
この固定部材によって前記突っ張り柱の所定位置に取り付けられる支持金具とからなり、
前記固定部材が、表面に軸支されて起伏する操作片と、裏面に配置され、前記取付溝内に挿入可能な幅を有し、取付溝の内側面に接触する当接面が傾斜してなる矩形状の固定部と、から形成され、
前記固定部材の本体と固定部との間に介在する前記支持金具の固定孔を貫通して前記突っ張り柱の取付溝内に固定部を嵌合し、前記操作片を起立状態で回動して前記固定部を取付溝内で回動し、本体裏面と固定部の傾斜面とで前記突っ張り柱の縁を挟着して確実に前記支持金具を突っ張り柱に固定することを特徴する支柱ユニット。
【請求項２】
前記固定部材の中央に前記固定部を連結する軸または螺子を配置し、この軸を固定部材に固定するとともに前記固定部の裏面および固定部材の内面に弾力性シートを貼着してあることを特徴とする請求項１に記載の支柱ユニット。
【請求項３】
外周面の長手方向に穿った取付溝を有し、上端面及び下端面に天井板または床板に接触する支持面を有する固定台を備えた伸縮可能な突っ張り柱と、この複数の突っ張り柱間に架設してなる横杆または支杆とからなる支柱ユニットにおいて、
前記突っ張り柱の外側面に穿った取付溝内に嵌合して着脱可能に固定する固定部材と、この固定部材によって前記突っ張り柱の所定位置に取り付けられる支持金具とからなり、前記固定部材が、表面に軸支されて起伏する操作片と、裏面に配置され、前記取付溝内に挿入可能な幅を有し、取付溝の内側面に接触する当接面が傾斜してなる矩形状の固定部と、から形成され、前記固定部材の本体と固定部との間に介在する前記支持金具の固定孔を貫通して前記突っ張り柱の取付溝内に固定部を嵌合し、前記操作片を起立状態で回動して前記固定部を取付溝内で回動し、本体裏面と固定部の傾斜面とで前記突っ張り柱の縁を挟着して確実に前記支持金具を固定し、
前記突っ張り柱の上端又は下端の固定台にらせん状の緩衝部材を配置して天井板と床板との間にこの突っ張り柱を立設してなることを特徴とする請求項１又は請求項２に記載の支柱ユニット。
【請求項４】
前記突っ張り柱の内に伸縮調整機構を内蔵し、長さが調節できることを特徴とする請求項１乃至請求項３に記載のいずれか１つの支柱ユニット。
【請求項５】
前記支持金具に前記固定部材が少なくとも２個以上配置してあることを特徴とする請求項１乃至請求項４のいずれか１つの支柱ユニット。
【発明の詳細な説明】
【技術分野】
【０００１】
本発明は、窓枠や部屋の仕切りなどに使用する日除け、または目隠しなどに使用するロールスクリーンなどを簡易に装着できる支柱ユニットに関する。特に、天井板と床面との間に配置する突っ張り柱の固定部材に関する。
【背景技術】
【０００２】
窓枠などの日除け、目隠しなどに使用するロールスクリーンが多く利用されている。従来は、家屋の建築に際して日除けのためのロールスクリーンを取り付ける基材を埋設されていた。また、仕切りを形成するに際して支柱を天井板と床板との間に突っ張って数本の支柱（突っ張り柱）を配置してこれら支柱間に横棒を架設固定してこの横棒にロールスクリーンのブラケットに固定するものがあった。また、突っ張り柱に横棒を任意の位置に固定し、この横棒に棚板などを載置する機構も知られている。
【０００３】
【特許文献１】実用新案登録第３０７０８６３号公報第１頁
【特許文献２】実用新案登録第３０３９４８７号公報図面
【特許文献３】実用新案登録第３１０１７８８号公報図面
【発明の開示】
【発明が解決しようとする課題】
【０００４】
上記特許文献１は壁パネルを柱の溝に嵌合する連結具が示されているが、このパネルの高さ位置が調節できるものではない。特許文献２は断面コ字型の金具で、側面に多数の嵌合孔を配列してあり、横桟を挿入する窓孔を備えた金具によって縦位置、横位置の幅が調節できる柱に着脱可能なものである。また、特許文献３は突っ張り柱の上端面に螺旋状の緩衝固定部材を配置し、この突っ張り柱内に伸縮調整機構を内蔵するものである。しかし、柱の外周面には金具取付溝は形成されておらず、他の金具によって柱表面に装飾物を固定することが開示されているに過ぎない。従って、棚板などの取り付けが困難であった。
【０００５】
本発明の課題は、室内の任意の場所に天井面と床板との間に配置する突っ張り柱に簡易に横杆や支杆を取り付けることができる支柱ユニットを提供することである。
また、本発明の課題は、突っ張り柱の取付溝に簡易に取り付けられ棚等の支持の金具の固定部材を提供することである。
【課題を解決するための手段】
【０００６】
本発明は、上記課題を解決するため、外周面の長手方向に穿った取付溝を有し、上端面及び下端面に天井板または床板に接触する支持面を有する固定台を備えた伸縮可能な突っ張り柱と、この複数の突っ張り柱間に架設してなる横杆または支杆とからなる支柱ユニットにおいて、前記突っ張り柱の外側面に穿った取付溝内に嵌合して着脱可能に固定する固定部材と、この固定部材によって前記突っ張り柱の所定位置に取り付けられる支持金具とからなり、前記固定部材が、表面に軸支されて起伏する操作片と、裏面に配置され、前記取付溝内に挿入可能な幅を有し、取付溝の内側面に接触する当接面が傾斜してなる矩形状の固定部と、から形成され、前記固定部材の本体と固定部との間に介在する前記支持金具の固定孔を貫通して前記突っ張り柱の取付溝内に固定部を嵌合し、前記操作片を起立状態で回動して前記固定部を取付溝内で回動し、本体裏面と固定部の傾斜面とで前記突っ張り柱の縁を挟着して確実に前記支持金具を前記突っ張り柱に固定する支柱ユニットの構成である。
【０００７】
前記本発明の課題は、前記固定部材の中央に前記固定部を連結する軸または螺子を配置し、この軸を固定部材に固定するとともに前記固定部の裏面および固定部材の内面に弾力性シートを貼着してある固定部材を突っ張り柱に固定することによって棚等の横杆を受ける支持金具を簡易に取り付けることができる支柱ユニットの構成によって達成できる。
【０００８】
本発明の支柱ユニットに使用する固定部材は、本体裏面に設けた螺子孔と固定部のねじ孔に貫通してねじによって両者を連結する。このとき本体と固定部との間に支持金具を介在することにより支持金具も突っ張り柱に固定部材と共に固定することができる。すなわち、支持金具を介在して固定部材の操作片を回動することにより、固定部が回転して突っ張り柱の取付溝内面に固定部の傾斜面を圧接して強固に固定部材、支持金具が突っ張り柱の所定の箇所に固定できる。
【０００９】
本発明の支柱ユニットに装着する横杆または支杆としてロールスクリーンなどの巻取軸を支持するブラケットの保持枠を固定することにより簡易にロールスクリーン等を設置することができる。
【発明の効果】
【００１０】
本発明の支柱ユニットは、突っ張り柱の長手方向に沿って穿った取付溝に簡易に支持金具の固定部材を装着できるから家庭内おいてだれでも仕切り用のロールスクリーン等を設置することができる。
しかも、この突っ張り柱の上端部分にらせん状の緩衝部材を配置してあるから確実に突っ張り柱を固定することができる。また、固定部材の取付面にシリコンゴムなどの弾性部材のシートが配置してあるので突っ張り柱表面や支持金具表面に圧接して固定部材の摩擦抵抗が大きいので滑り落ちる懸念は全くない。
【００１１】
本発明の支柱ユニットは、固定金具によって種々の形状、例えば、Ｔ字状の場合は上辺両端に固定部材を配置し、横に張出した張出部に２個の固定部材を取り付けて、上辺部分を突っ張り柱の取付溝の上下に固定し、張出部に横杆または支杆を固定部材で確実に固定ができる。同様にして他の形状の支持金具を突っ張り柱に簡易に取り付けられる。
【発明を実施するための最良の形態】
【００１２】
本発明の支柱ユニットを実施するための最良の形態を図面に基づいて説明する。
図１は本発明の支柱ユニットの実施形態を示す正面図、図２は本発明の支柱ユニットに使用する支柱に固定部材を固着した横断面図、図３は本発明の支柱ユニットの１実施形態の組立て説明図、図４は本発明の支柱ユニットに使用する１実施形態のＬ字型支持金具を固定した取付状態を示す説明図である。図５は本発明に使用するＴ字型支持金具を固定した状態説明図、図６は本発明固定部材の分解斜視図である。図７は本発明支柱ユニットに固定するＬ字型支持金具と固定部材との関係を示す説明図、図８は本発明の支柱ユニットの支柱に棚やカーテンレールを支持する受材を取り付けた状態を示す説明図、図９は本発明支柱ユニットにブラインドを装着した実施形態の正面図である。
【００１３】
本発明は、図１に示すように、固定部材の本体１の表面に起伏する操作片２を軸支してあり、この操作片２を起立して回動するとき補助となる衝立部１ｃが形成されていてもよい。この本体１の裏面側にねじ孔１ａを穿って、このねじ孔１ａに対向してねじ孔３ａを備えた矩形状の固定部３の内側面にテーパ３ｂ、３ｂが形成されている。この固定部３を本体１にねじによって固定した後、この固定部３の裏面（外面）には緩衝部材である薄いゴム４を貼り付けてねじ孔３ａを目隠してある。また、本体１側の内面にも薄いゴム板１ｂを介在することにより支持金具１０を突っ張り柱５への固定が確実になる。
【００１４】
本発明の支柱ユニットの突っ張り柱５の外周の四面には前記固定部材などを嵌合固定する取付溝６，６・・が設けられている。この突っ張り柱５の上端には螺旋状の緩衝部材７が取付けてある。また、この下端部には長さを微調整するねじ調節機構８を備えている。この突っ張り柱４の内部には伸縮調整機構９を内蔵している。
【００１５】
本発明の支柱ユニットについて説明する。
突っ張り柱５に固定する支持金具１０の取付孔１１に固定部材の本体１の裏面をあてがい、この裏面側に支持金具１０を介して固定部３を配置しねじ孔３ａにねじを挿入して固定部材の本体１に取り付ける。支持金具１０がＴ字形の場合は、上辺の両端に固定部材を配置する。
【００１６】
突っ張り柱５の取付溝６内の所定の位置に支持金具１０を有する２個の固定部材の本体１の固定部３を挿入する。操作片２を起立して回動すると固定部３も回転し、このテーパ３ｂが突っ張り柱５の縁内面に圧接する。これにより本体１の内面と固定部３の内面とによって突っ張り柱５を挟着することになり、支持金具１０も固定される。同様にして支持金具１０の他の位置にある固定部材の本体１を操作して支持金具１０に支持部材を固定することができる。
【００１７】
このように構成されている本発明の支柱ユニットの組立てを説明する。
図３に示されるように天井板と床板との間に突っ張り柱５を配置する。はじめに短めに形成し、この突っ張り柱５の長さは図１の伸縮調整機構９によって伸ばす。この機構については実用新案登録第３１０１７８８号公報に記載される機構を採用してある。天井板と床板間に突っ張り柱５を立設し、らせん状緩衝部材７を圧縮しながら微調整機構８で調節して強固に突っ張り柱５を配置する。
【００１８】
支持金具１０の取付孔１１に固定部材の本体１の固定部３を挿入し、このねじ孔３ａと本体１のねじ孔１ａを合致させてねじで支持金具１０を介在して固定部３と本体１とを連結する。各支持金具１０,１０・・に固定部材を配置する。上下に配置した固定部３を突っ張り柱５の取付溝６内に嵌入する（図４参照）。本体１の操作片２を衝立部１ｃに接触させて起立して回動させると、固定部３は取付溝６内で回転して固定部３が縦位置から横位置に回転して固定部３のテーパ３ｂによって突っ張り柱５の縁が支持金具１０、本体１側に楔効果により圧接することになり、強固に支持金具１０が固定される（図２参照）。
【００１９】
同様にして各固定部材が突っ張り柱５の取付溝６内に所定の位置に固定される。図３に示される実施形態では、支持金具１０にカーテンレール１３を突っ張り柱５に固定する。このカーテンレールに代えてブラインド１４の支持枠を配置したものとして図９に示す。
【００２０】
この支持金具１０としてカーテンレールの支持腕１２を備えたものを使用するときは図面に示すように簡易に取り付けることができる。  また、ロールスクリーンなどの場合は、ロールスクリーンのブラケットを支持する枠体を支持金具１０に取り付けることにより簡易に設置することができる。従って、室内の簡易仕切りをロールスクリーンやブラインドで形成するときに突っ張り柱５を室内の適当な場所に２本以上配置し、伸縮調節機構など操作して立設して２本の突っ張り柱５間にロールスクリーンなどを設置することができる。
【図面の簡単な説明】
【００２１】
【図１】本発明の支柱ユニットの実施形態を示す正面図である。
【図２】本発明の支柱ユニットに使用する支柱に固定部材を固着した横断面図である。
【図３】本発明の支柱ユニットの１実施形態の組立て説明図である。
【図４】本発明の支柱ユニットに使用する１実施形態のＬ字型支持金具を固定した取付状態を示す説明図である。
【図５】本発明に使用するＴ字型支持金具を固定した状態説明図である。
【図６】本発明固定部材の分解斜視図である。
【図７】本発明支柱ユニットに固定するＬ字型支持金具と固定部材との関係を示す説明図である。
【図８】本発明の支柱ユニットの支柱に棚やカーテンレールを支持する受材を取り付けた状態を示す説明図である。
【図９】本発明支柱ユニットにブラインドを装着した実施形態の正面図である。
【符号の説明】
【００２２】
１      本体
２      操作片
３      固定部
４      弾性ゴム
５      突っ張り柱
６      取付溝
７      緩衝部材
８      ねじ微調節機構
９      伸縮調節機構
１０    支持金具
１１    取付孔
１２    支持腕
１３    カーテンレール      
１４    ブラインド
【図１】
2007113195.tif 000003
【図２】
2007113195.tif 000004
【図３】
2007113195.tif 000005
【図４】
2007113195.tif 000006
【図５】
2007113195.tif 000007
【図６】
2007113195.tif 000008
【図７】
2007113195.tif 000009
【図８】
2007113195.tif 000010
【図９】
2007113195.tif 000011